(57)【特許請求の範囲】
【請求項１】
複数並べて設置されるスパンドレルであって、
本体部と、該本体部の一端側に形成された雄部と、該本体部の他端側に形成された雌部とを具備し、
前記雄部及び前記雌部は、それぞれ隣り合うスパンドレルの雌部及び雄部と係合するように形成され、
前記雄部は、先端が背面側に折れ曲がった形状を呈し、
前記雌部は、隣り合うスパンドレルの雄部の先端を背面側に受け入れるための突出部分と、この突出部分の背面側に位置し、突出部分よりも側方に延びる取付部分とを有し、該突出部分の先端部の前面は、該先端部の先端に向かうにつれて背面側に後退するように構成してあり、前記取付部分において前記突出部分の背面側に隠れない部分には、固定部材用の貫通孔が形成され、
前記本体部は、前方に迫り出す波型部分と、該波型部分の背面を覆う基板部分とを有し、前記基板部分は、前記雌部における前記突出部分と前記取付部分とを連絡する連絡部分の中間部に連なり、前記波型部分と前記基板部分の間には中空部分が形成され、前記波型部分と前記基板部分と前記連絡部分とは一体成形されていることを特徴とするスパンドレル。
【請求項２】
請求項１に記載のスパンドレルを外装材として複数並べて設置する外装工法であって、前記本体部の形状が互いに異なる複数の前記スパンドレルを組み合わせて用いる外装工法。
【発明の詳細な説明】
【技術分野】
【０００１】
本発明は、例えば、外装材として用いられるスパンドレル及びこのスパンドレルを用いる外装工法に関する。
【背景技術】
【０００２】
従来の外装工法は、外装材としての金属製のスパンドレルを複数並べて設置することにより、ローコストで連続的に均質面を構築する工法であり、スパンドレルは、異なる面状どうしを組み合わせて使用するように作られていない。
【発明の概要】
【発明が解決しようとする課題】
【０００３】
本発明者らは、これまで本格的に取り組まれてこなかったといっても過言ではないスパンドレルによる光の拡散や反射を積極的に利用するための構造の開発に取り組み、ランダムな凹凸を構成する外観を生み出すことが可能なスパンドレルを開発した。そして、この開発にあたり、本発明者らは、従来のスパンドレルでは、隣り合うスパンドレルとの境界部分が一律に定まった角を形成する納まりとなっており、このことが、スパンドレルによる光の拡散や反射をランダムに変化させる上でネックとなることを突き止め、その解決を図った。
【０００４】
本発明は上述の事柄に留意してなされたもので、その目的は、隣り合うスパンドレルの境目に角をつくらずはっきりとした影が形成され難くなるスパンドレル及び外装工法を提供することにある。
【課題を解決するための手段】
【０００５】
上記目的を達成するために、本発明に係るスパンドレルは、複数並べて設置されるスパンドレルであって、本体部と、該本体部の一端側に形成された雄部と、該本体部の他端側に形成された雌部とを具備し、前記雄部及び前記雌部は、それぞれ隣り合うスパンドレルの雌部及び雄部と係合するように形成され、前記雄部は、先端が背面側に折れ曲がった形状を呈し、前記雌部は、隣り合うスパンドレルの雄部の先端を背面側に受け入れるための突出部分と、この突出部分の背面側に位置し、突出部分よりも側方に延びる取付部分とを有し、該突出部分の先端部の前面は、該先端部の先端に向かうにつれて背面側に後退するように構成してあり、前記取付部分において前記突出部分の背面側に隠れない部分には、固定部材用の貫通孔が形成され、前記本体部は、前方に迫り出す波型部分と、該波型部分の背面を覆う基板部分とを有し、前記基板部分は、前記雌部における前記突出部分と前記取付部分とを連絡する連絡部分の中間部に連なり、前記波型部分と前記基板部分の間には中空部分が形成され、前記波型部分と前記基板部分と前記連絡部分とは一体成形されている（請求項１）。
【０００６】
【０００７】
一方、上記目的を達成するために、本発明に係る外装工法は、請求項１に記載のスパンドレルを外装材として複数並べて設置する外装工法であって、前記本体部の形状が互いに異なる複数の前記スパンドレルを組み合わせて用いる（請求項２）。
【発明の効果】
【０００８】
本願発明では、隣り合うスパンドレルの境目に角をつくらずはっきりとした影が形成され難くなるスパンドレル及び外装工法が得られる。
【０００９】
すなわち、本願の各請求項に係る発明のスパンドレルでは、突出部分の先端部の前面を、該先端部の先端に向かうにつれて背面側に後退するように構成してあるので、隣り合うスパンドレルの境界部分にはっきりとした影が形成され難くなる。そのため、例えば、本体部の形状が互いに異なる複数種のスパンドレルを組み合わせて用いると、ランダムな外観を実現することが可能となるが、この際、このランダムな外観がはっきりとした影によって均質的になるのを防止することができる。
【００１０】
請求項１に係る発明のスパンドレルでは、本体部の強度の向上を図ることが容易となる。
【００１１】
請求項２に係る発明の外装工法では、本体部の形状が互いに異なる複数種のスパンドレルを組み合わせて用いることにより、ランダムな外観を実現することができ、形成された外装は、視線の移動、太陽の運行、空模様等により、輝きと色が刻々と複雑に変化し、その光の反射挙動が多様で変化に富んだものとなる。
【図面の簡単な説明】
【００１２】
【図１】（Ａ）〜（Ｃ）は、本発明の一実施の形態に係る三種のスパンドレルの構成を概略的に示す断面図である。
【図２】前記三種のスパンドレルを複数並べた状態を概略的に示す説明図である。
【図３】前記三種のスパンドレルの波型部分の構成を概略的に示す説明図である。
【図４】前記三種のスパンドレルを複数並べた状態を概略的に示す正面図である。
【図５】前記スパンドレルの要部の構成を概略的に示す断面図である。
【図６】前記スパンドレルの変形例の構成を概略的に示す説明図である。
【図７】（Ａ）〜（Ｄ）は、前記スパンドレルにおける突出部分の変形例を概略的に示す説明図である。
【発明を実施するための形態】
【００１３】
本発明の実施の形態について図面を参照しながら以下に説明する。
【００１４】
本実施の形態に係る外装工法は、図１（Ａ）〜（Ｃ）に示す外装材としての三種のパネル状のスパンドレル１（１Ａ，１Ｂ，１Ｃ）を、図２及び図４に示すように、ランダムに複数並べて設置するものである。尚、本例の外装工法は、止水ラインを形成する外壁の外側にダブルスキンとしてスパンドレル１を設けるものであり、既存建築物の改修計画にも応用可能である。
【００１５】
スパンドレル１（１Ａ，１Ｂ，１Ｃ）は、アルミニウム製の押出型材によって構成され、図１（Ａ）〜（Ｃ）に示すように、本体部２と、本体部２の一端側に形成された雄部３と、本体部２の他端側に形成された雌部４とを具備し、雄部３及び雌部４は、それぞれ隣り合うスパンドレル１の雌部４及び雄部３と係合するように形成されている。
【００１６】
本体部２は、前方に迫り出す波型部分５と、スパンドレル１の取付面に略平行に延び、波型部分５の背面を覆う基板部分６とを有し、波型部分５と基板部分６の間には中空部分７が形成されている。
【００１７】
雄部３は、先端が背面側に向かって折れ曲がった形状を呈する。
【００１８】
雌部４は、隣り合うスパンドレル１の雄部３の先端を背面側に受け入れるための突出部分８と、この突出部分８の背面側に位置し、突出部分８よりも側方に延びる取付部分９とを有する。なお、突出部分８と取付部分９とは、ともにスパンドレル１の取付面と略平行に延び、取付部分９において突出部分８の背面側に隠れない部分には、固定部材（例えばねじ部材）１０（図２、図５参照）用の貫通孔１１が形成されている。
【００１９】
そして、本例の三種のスパンドレル１は、波型部分５が各々異なり、図１（Ａ）に示すスパンドレル１Ａの波型部分５は、凸部を一つのみ有する形状を呈し、図１（Ｂ）に示すスパンドレル１Ａの波型部分５は、凸部を二つ有する形状を呈し、図１（Ｃ）に示すスパンドレル１Ａの波型部分５は、凸部を三つ有する形状を呈する。
【００２０】
ここで、スパンドレル１Ａの波型部分５の凸部の左右の曲面は、図３に示すように、凸部の深さを４ａとしたときに、その倍の８ａを短径とし、その三倍の１２ａを長径とする楕円の全周の四分の一に重なる形状を呈する。
【００２１】
スパンドレル１Ｂの波型部分５の二つの凸部の各々左右の曲面は、図３に示すように、その凸部の深さを４ａとしたときに、その倍の８ａを長径とし、その１．５倍の６ａを短径とする楕円の全周の四分の一に重なる形状を呈する。
【００２２】
スパンドレル１Ｃの波型部分５の三つの凸部の各々左右の曲面は、図３に示すように、その凸部の深さを４ａとしたときに、その倍の８ａを長径とし、その０．７５倍の３ａを短径とする楕円の全周の四分の一に重なる形状を呈する。
【００２３】
一方、スパンドレル１Ａ，１Ｂ，１Ｃの左右幅（雄部３の先端から雌部４の突出部分８の先端までの距離）は共通（本例では１７０．３８ｍｍ）であり、波型部分５の凸部の深さ（奥行）も共通（本例では５３ｍｍ）である。
【００２４】
本例の外装工法では、上述したように、本体部２（波型部分５）の形状が互いに異なる三種のスパンドレル１Ａ，１Ｂ，１Ｃを組み合わせて用いることにより、ランダムな外観を生み出すことができる。すなわち、各スパンドレル１の波型部分５が有する凸部の奥行を一定にして凸部の幅を変える（４：２：１にする）ことにより、凸部の左右に三種の曲面が形成されるようにしている。そのため、スパンドレル１Ａ，１Ｂ，１Ｃの各凸部の左右の曲面をそれぞれＡ，Ｂ，Ｃとすると、これら三種の曲面Ａ，Ｂ，Ｃから六種の反射断面ＡＡ，ＡＢ（ＢＡ），ＡＣ（ＣＡ），ＢＢ，ＢＣ（ＣＢ），ＣＣが形成されることになる（図２参照）。従って、スパンドレル１Ａ，１Ｂ，１Ｃの配置をランダムに行えば（図４参照）、形成された外装は、視線の移動、太陽の運行、空模様等により、輝きと色が刻々と複雑に変化し、その光の反射挙動が多様で変化に富んだものとなる。
【００２５】
しかも、本例の三種のスパンドレル１は、図５に示すように、突出部分７の先端部の前面は、曲面状（断面半円状）であるので、隣り合うスパンドレル１の境界部分にはっきりとした影が形成され難くなっている。そのため、上述したランダムな外観がはっきりとした影によって均質的になるのを防止することもできる。
【００２６】
また、突出部分７の先端部に丸みを帯びせることにより、スパンドレル１を並べて設置する際にスパンドレル１が傷つきにくくなるという効果も得られる。
【００２７】
さらに、基板部分６を設けつつ波型部分５を前方に大きく迫り出させることにより、本体部２の強度が向上するリブ効果もが得られることになる。
【００２８】
なお、本発明は、上記の実施の形態に何ら限定されず、本発明の要旨を逸脱しない範囲において種々に変形して実施し得ることは勿論である。例えば、以下のような変形例を挙げることができる。
【００２９】
図１（Ａ）〜（Ｃ）に示すスパンドレル１は、各々凸部が略左右対称に構成されているが、これに限らず、左右非対称に構成されていてもよい。図６には、コーナー部分に設置されるスパンドレル１Ｄが、左右非対称な二つの凸部を有する例を示している。
【００３０】
また、波型部分５の形状は、矩形波状、正弦波状、三角波状等、種々の形状とすることが考えられ、その凸部の数も単複何れであってもよい。
【００３１】
また、図４には、突出部分８の先端が半円状に丸みを帯びた断面形状を呈する例を示しているが、これに限らず、例えば、図７（Ａ）〜（Ｄ）に示すように、突出部分８の先端が、先端に向かって細くなるテーパーがついた断面形状や、先端の角が部分的あるいは全体的に落とされた断面形状を呈するものであってもよい。いずれにしても、隣り合うスパンドレル１の境界部分にはっきりとした影を形成しないようにするという目的からは、突出部分８の先端部の前面を、先端部の先端に向かうにつれて背面側に漸次的に後退するように構成してあるのが好ましい。
【００３２】
なお、本明細書で挙げた変形例どうしを適宜組み合わせてもよいことはいうまでもない。
【符号の説明】
【００３３】
１    スパンドレル
１Ａ  スパンドレル
１Ｂ  スパンドレル
１Ｃ  スパンドレル
１Ｄ  スパンドレル
２    本体部
３    雄部
４    雌部
５    波型部分
６    基板部分
７    中空部分
８    突出部分
９    取付部分
１０    固定部材
１１    貫通孔
【図１】
0006713739.tif 000002
【図２】
0006713739.tif 000003
【図３】
0006713739.tif 000004
【図４】
0006713739.tif 000005
【図５】
0006713739.tif 000006
【図６】
0006713739.tif 000007
【図７】
0006713739.tif 000008